(57)【要約】  冷蔵庫（１）は、冷蔵室（貯蔵室）（１１）と、蒸発器（冷却器）（４１）が設けられている冷却室（４０）と、蒸発器（４１）で冷却された気体を冷蔵室（１１）へ送出する冷気送出ダクト（冷気送出通路）（３０）と、冷蔵室（１１）内を通過した気体を冷却室（４０）へ戻す冷気戻りダクト（冷気戻り通路）（４５・４６）とを備えている。また、冷蔵庫（１）は、冷却機構（６０）と排水機構（７０）とを有する結露水排出機構（１０）を備えている。冷却機構（６０）は、冷蔵室（１１）から冷気戻りダクト（４５）内へ戻された気体中に含まれる水蒸気を結露させる。排水機構（７０）は、冷却機構（６０）で生成された結露水を排出する。
2020008970.tif 000002
【特許請求の範囲】
【請求項１】
貯蔵室と、
冷却器が設けられている冷却室と、
前記冷却器で冷却された気体を前記貯蔵室へ送出する冷気送出通路と、
前記貯蔵室内を通過した気体を前記冷却室へ戻す冷気戻り通路と、
前記貯蔵室から前記冷気戻り通路内へ戻された気体中に含まれる水蒸気を結露させるための冷却機構と、
前記冷却機構で生成された結露水を前記冷気戻り通路外へ排出する排水機構と
を備えている冷蔵庫。
【請求項２】
前記冷却機構は、前記冷気送出通路内の冷熱を前記冷気戻り通路へ伝達させる伝熱部を備えている、請求項１に記載の冷蔵庫。
【請求項３】
前記伝熱部は、金属で形成されている、請求項２に記載の冷蔵庫。
【請求項４】
前記排水機構は、前記貯蔵室内に前記結露水の流路を有している、請求項１から３の何れか１項に記載の冷蔵庫。
【請求項５】
前記排水機構は、前記結露水の少なくとも一部を前記冷気送出通路へ送出する、請求項１から４の何れか１項に記載の冷蔵庫。
【請求項６】
前記排水機構は、前記冷気送出通路への前記結露水の送出による前記冷気送出通路から前記冷気戻り通路への冷気の流出を抑制する結露水トラップ構造を有している、請求項５に記載の冷蔵庫。
【請求項７】
前記排水機構は、前記冷気戻り通路内の前記冷却室から遠い側に配置されている、請求項１から６の何れか１項に記載の冷蔵庫。
【発明の詳細な説明】
【技術分野】
【０００１】
本発明は、冷却室と冷蔵室などの貯蔵室との間で冷気を循環させる冷蔵庫に関する。
【背景技術】
【０００２】
一般的な冷蔵庫では、貯蔵室の背面に冷却器などを収容する冷却室が配置されている。冷却室内には冷却器（蒸発器とも呼ばれる）が備えられており、冷却室内を通る空気は、冷却器によって冷却されて冷気となる。冷却室で生成された冷気は、貯蔵室の背面に設けられた冷気通路（冷気ダクトとも呼ばれる）を通って、冷蔵室及び冷凍室などの各貯蔵室へ送出される。【０００３】
各貯蔵室を通過した冷気は、戻り口などから冷気通路（戻りダクト）内に入り、再び冷却室に戻される。このように、冷却器で冷やされた冷気が冷気通路と各貯蔵室との間を循環することで、各貯蔵室内は、適切な冷蔵温度または冷凍温度に維持される。【０００４】
一方、各貯蔵室に送り込まれた冷気には、各貯蔵室空間中の湿気（すなわち、水蒸気）が混入する。これにより、各貯蔵室を通過した後、戻りダクトを通って冷却室に戻る冷気中には、比較的多くの水分が含まれる。このような水分を多く含む冷気が冷却室内に戻り冷却器で再び冷却されると、冷却器には霜が付着する。そのため、従来の冷蔵庫には、冷却器に付着した霜を除去するための霜取り運転を行うものがある（例えば、特許文献１参照）。特許文献１に開示された冷蔵庫には、霜取りヒータ１８が備えられている。
【先行技術文献】
【特許文献】
【０００５】
【特許文献１】特公昭６３−２６８３７号公報
【発明の概要】
【発明が解決しようとする課題】
【０００６】
しかしながら、霜取りヒータを用いて冷却器に付着した霜を融かすためには、多量の電力が必要となり、消費電力を増大させる。そのため、冷却器に多量の霜が付着してしまうと、頻繁に霜取り運転を行う必要があり、消費電力を増大させる。もし、頻繁に霜取り運転を行わなければ、冷却室内の風路の大部分が霜によって塞がれることで、貯蔵室へ送られる冷気の量が減少してしまい、冷却効率が低下するため、結局、消費電力を増大させてしまう。【０００７】
そこで、本発明では、冷蔵室などの貯蔵室からの戻り冷気を除湿し、冷却器に付着する霜の量を低減させることで、消費電力の増加を抑制できる冷蔵庫を提供することを目的とする。
【課題を解決するための手段】
【０００８】
本発明の一局面にかかる冷蔵庫は、貯蔵室と、冷却器が設けられている冷却室と、前記冷却器で冷却された気体を前記貯蔵室へ送出する冷気送出通路と、前記貯蔵室内を通過した気体を前記冷却室へ戻す冷気戻り通路と、前記貯蔵室から前記冷気戻り通路内へ戻された気体中に含まれる水蒸気を結露させるための冷却機構と、前記冷却機構で生成された結露水を前記冷気戻り通路外へ排出する排水機構とを備えている。【０００９】
上記の本発明の一局面にかかる冷蔵庫において、前記冷却機構は、前記冷気送出通路内の冷熱を前記冷気戻り通路へ伝達させる伝熱部を備えていてもよい。【００１０】
上記の本発明の一局面にかかる冷蔵庫において、前記伝熱部は、金属で形成されていてもよい。【００１１】
上記の本発明の一局面にかかる冷蔵庫において、前記排水機構は、前記貯蔵室内に前記結露水の流路を有していてもよい。【００１２】
上記の本発明の一局面にかかる冷蔵庫において、前記排水機構は、前記結露水の少なくとも一部を前記冷気送出通路へ送出してもよい。このような構成において、前記排水機構は、前記冷気送出通路への前記結露水の送出による前記冷気送出通路から前記冷気戻り通路への冷気の流出を抑制する結露水トラップ構造を有していてもよい。【００１３】
上記の本発明の一局面にかかる冷蔵庫において、前記排水機構は、前記冷気戻り通路内の前記冷却室から遠い側に配置されていてもよい。
【発明の効果】
【００１４】
本発明の一局面にかかる冷蔵庫によれば、貯蔵室からの戻り冷気を除湿し、冷却器に付着する霜の量を低減させることができる。これにより、冷却効率の向上、および、除霜時間の短縮化につながるため、冷蔵庫の消費電力の増加を抑制することが可能となる。
【図面の簡単な説明】
【００１５】
【図１】本発明の一実施形態に係る冷蔵庫の内部構成を模式的に示す正面図である。
【図２】（ａ）は、第１の実施形態にかかる冷蔵庫に備えられている結露水排出機構を示す模式図である。（ｂ）は、（ａ）に示す結露水排出機構に備えられている冷却機構を模式的に示す側面図である。
【図３】図２（ａ）に示す結露水排出機構に備えられている冷却機構の構成を示す斜視図である。
【図４】冷蔵庫内の冷気送出ダクトと冷気戻りダクトとの間に伝熱板を配置する方法の一例を示す模式図である。
【図５】図１に示す冷蔵庫の背面側に配置されている冷却室と冷気戻りダクトとを示す模式図である。
【図６】冷気戻りダクト内における排水機構の配置位置を示す模式図である。
【図７】第１の実施形態の変形例にかかる結露水排出機構を示す模式図である。
【図８】（ａ）は、第２の実施形態にかかる冷蔵庫に備えられている結露水排出機構を示す模式図である。（ｂ）は、（ａ）に示す冷蔵庫のＡ−Ａ’線部分の構成を示す断面模式図である。（ｃ）は、（ａ）に示す冷蔵庫のＢ−Ｂ’線部分の構成を示す断面模式図である。
【図９】図８（ａ）に示す結露水排出機構に備えられている冷却機構を模式的に示す斜視図である。
【図１０】（ａ）は、第３の実施形態にかかる冷蔵庫に備えられている結露水排出機構を示す模式図である。（ｂ）は、（ａ）に示す冷蔵庫のＡ−Ａ’線部分の構成を示す断面模式図である。（ｃ）は、（ａ）に示す冷蔵庫のＢ−Ｂ’線部分の構成を示す断面模式図である。
【図１１】図１０（ａ）に示す結露水排出機構の冷蔵室内における結露水の流路を示す正面図および上面図である。
【図１２】第４の実施形態にかかる冷蔵庫に備えられている結露水排出機構を示す模式図である。
【図１３】第５の実施形態にかかる冷蔵庫の結露水排出機構に備えられている冷却機構を模式的に示す斜視図である。
【図１４】第６の実施形態にかかる冷蔵庫の結露水排出機構に備えられている冷却機構を模式的に示す斜視図である。
【図１５】第７の実施形態にかかる冷蔵庫の結露水排出機構に備えられている冷却機構を模式的に示す斜視図である。
【発明を実施するための形態】
【００１６】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１７】
〔第１の実施形態〕
第１の実施形態では、本発明の冷蔵庫の一例として、上方部分に冷蔵貯蔵空間を有し、下方部分に冷凍貯蔵空間を有する冷蔵庫を例に挙げて説明する。但し、本発明の冷蔵庫の各貯蔵室の配置は、これに限定はされない。
【００１８】
（冷蔵庫の全体構成）
まず、本実施の形態にかかる冷蔵庫１の全体構成について説明する。図１は、本実施の形態にかかる冷蔵庫１の全体構成を示す正面模式図である。
【００１９】
図１に示すように、冷蔵庫１は、上段に冷蔵室（貯蔵室）１１、下段に第１冷凍室１２、中段左側に製氷室１３、中段右側に第２冷凍室１４を備えている。各貯蔵室には、扉が設けられている。
【００２０】
本実施形態では、扉が設けられている面を冷蔵庫の前面（正面）とする。そして、前面を基準にして、冷蔵庫１を通常の状態で設置した場合に存在する位置に基づいて、冷蔵庫１の各面を、上面、側面、背面、及び底面とする。したがって、本明細書中において、「前面側」または「背面側」と規定するときは、任意の位置を基準として前面又は背面が設けられている側、あるいは、任意の位置から前面又は背面へ向かう方向のことを意味する。また、本明細書では、冷蔵庫１の前面から背面へ向かう方向および冷蔵庫１の背面から前面へ向かう方向を、前後方向と呼ぶ。また、本明細書では、冷蔵庫１の一方の側面から他方の側面へ向かう方向を、左右方向と呼ぶ。さらに、本明細書においては、冷蔵庫の「右側」とは、冷蔵庫の正面から見て右側に当たる側のことを意味し、冷蔵庫の「左側」とは、冷蔵庫の正面から見て左側に当たる側のことを意味する。
【００２１】
冷蔵庫１には、各貯蔵空間を周囲から断熱するための断熱構造として、断熱箱体５０が設けられている。断熱箱体５０は、冷蔵庫１の外周を覆うように設けられている。断熱箱体５０は、主として、外箱５１と、内箱５２と、断熱層（図示せず）とを備えている。
【００２２】
外箱５１は、断熱箱体５０の外周面を形成する。内箱５２は、断熱箱体５０の内周面を形成する。また、内箱５２は、各貯蔵空間（例えば、冷蔵室１１、第１冷凍室１２など）の内壁を形成している。断熱層は、外箱５１と内箱５２との間に形成されている。断熱層は、例えば、真空断熱材と発泡断熱材とで構成される。
【００２３】
冷蔵室１１内には、上から順に、複数の移動式棚と、仕切棚２５，２５とが配置されている。仕切棚２５，２５は、冷蔵室１１の内壁に固定されており、通常の使用時には取り外しできないようになっている。
【００２４】
仕切棚２５によって区画された冷蔵室１１内の空間には、チルドケース、野菜ケースなどが配置される。これにより、冷蔵室１１の下部には、チルド室、野菜室などが形成される。
【００２５】
冷蔵室１１の背面側には、冷気の送出通路である冷気送出ダクト３０が設けられている。冷気送出ダクト３０は、ダクト形成部材３２、および内箱５２の一部などで形成され、冷気の通路となっている。言い換えれば、ダクト形成部材３２と内箱５２との間に形成された空間が、冷気送出ダクト３０となっている。ダクト形成部材３２は、発泡スチロールなどの断熱材、および、ＡＢＳ樹脂、ポリプロピレン（ＰＰ）樹脂などの樹脂製の板材などで構成されている。
【００２６】
ダクト形成部材３２の正面部分には、複数の冷気の吹き出し口３１が設けられている。各吹き出し口３１からは、冷却室４０において生成された冷気が冷蔵室１１内に吹き出される。最も下に位置する吹き出し口３１ａは、主として、チルド室および野菜室へ向けて冷気を吹き出す。
【００２７】
第１冷凍室１２、製氷室１３、及び第２冷凍室１４の背面側には、冷却室４０が配置されている。冷却室４０内には、冷凍サイクルを構成する蒸発器（冷却器）４１、蒸発器４１を除霜するためのガラス管ヒータ８１、蒸発器４１からの冷気を各貯蔵室に送るための冷却ファン４３、蒸発器４１の除霜時に生成される除霜水などを排出するための排水トレイ８２などが配置される。冷却室４０の上方は、冷気送出ダクト３０と連通している。
【００２８】
冷却室４０と冷気送出ダクト３０との間には、ダンパ（図示せず）が設けられている。ダンパを開閉することで、冷蔵室１１に向かう冷気の流れをＯＮ／ＯＦＦすることができる。また、冷気送出ダクト３０内には、ダンパの上方に冷却ファンが設けられていてもよい。この冷却ファンが作動することで、複数の吹き出し口３１を介して冷蔵室１１内に冷気を送り込むことができる。
【００２９】
また、冷却室４０には、複数の吹き出し口４７ａが形成されている。これらの吹き出し口４７ａは、第１冷凍室１２、製氷室１３、及び第２冷凍室１４と連通している。冷却室４０で生成され、吹き出し口４７ａから吹き出された冷気によって、第１冷凍室１２、製氷室１３、及び第２冷凍室１４は、適切な温度に維持される。
【００３０】
また、冷蔵室１１の背面部の下方には、開口部が形成されている。この開口部は、冷却室４０へとつながる冷気戻りダクト（冷気戻り通路）４５および４６と連通しており、冷気の戻り口４８となっている。
【００３１】
冷気戻りダクト４５は、冷蔵室１１の背面部に形成されている。冷気戻りダクト４５は、冷気送出ダクト３０の一部と隣接して配置されている。冷蔵室１１内を循環した冷気は、戻り口４８から冷気戻りダクト４５内へ入る。
【００３２】
冷気戻りダクト４６は、冷蔵室１１と製氷室１３および第２冷凍室１４との仕切り壁５３を間に挟んで、冷気戻りダクト４５の下方に形成されている（図２（ａ）参照）。冷気戻りダクト４５と冷気戻りダクト４６とは、仕切り壁５３に形成された開口部５３ａを介して連通している。冷気戻りダクト４６は、冷却室４０と隣接して配置されている（図５参照）。また、冷気戻りダクト４６は、その下方位置で冷却室４０と連通している。
【００３３】
冷却室４０内の蒸発器４１は、冷凍サイクルを構成する。冷凍サイクルは、冷媒が流通する冷媒管を介して、圧縮機、凝縮器、膨張器、及び、蒸発器（冷却器）４１が接続されて構成されている。冷凍サイクル内を冷媒が循環する間に、低温の冷媒が流入する蒸発器４１では、蒸発器４１周辺の空気との間で熱交換が行われる。この熱交換により、冷却室４０内では冷気が生成される。
【００３４】
冷却室４０内で生成された冷気は、各貯蔵空間を循環する。図１では、冷凍サイクルによって発生する冷気の流れを矢印で示す。
【００３５】
蒸発器４１によって冷やされた冷気は、冷却ファン４３によって、各吹き出し口４７ａから第１冷凍室１２・製氷室１３・第２冷凍室１４に送られる。各冷凍貯蔵空間を通った冷気は、第１冷凍室１２の下方から冷却室４０内へ戻る。
【００３６】
また、ダンパが解放されているときは、冷気は、冷却ファンによって、冷気送出ダクト３０内を上昇しながら、複数の吹き出し口３１から冷蔵室１１内へ送り込まれる。冷蔵室１１内に送られた冷気は、上方から下方へと降下しながら、冷蔵室内の食料および飲料などを冷やして、戻り口４８から冷気戻りダクト４５および４６を通って冷却室４０へと帰ってくる。
【００３７】
（結露水排出機構について）
続いて、冷蔵庫１に備えられている結露水排出機構１０について説明する。図２（ａ）には、結露水排出機構１０の構成を示す。結露水排出機構１０は、冷蔵室１１の背面部の下方から冷気戻りダクト４５および４６にかけて形成されている。具体的には、結露水排出機構１０の各構成部材が、冷蔵室１１の背面部分に位置する冷気送出ダクト３０、冷気戻りダクト４５、および冷気戻りダクト４６の何れかに配置されている。
【００３８】
結露水排出機構１０は、主として、冷却機構６０と、排水機構７０とで構成されている。冷却機構６０は、冷蔵室１１から冷気戻りダクト４５内へ戻された気体（すなわち、冷蔵室１１からの戻り冷気）を冷却することによって、この気体中に含まれる水蒸気を結露させる。排水機構７０は、冷却機構６０で生成された結露水を冷気戻りダクト４５および４６の外へ排出する。本実施形態では、排水機構７０は、生成された結露水を冷却室４０の下方に設けられた排水トレイ８２から、断熱箱体５０の外側の機械室（図示せず）へ排出する。
【００３９】
図２（ｂ）および図３には、冷却機構６０の構成を示す。図２（ｂ）では、冷気戻りダクト４５側に位置する冷却機構６０の構成を示す。
【００４０】
冷却機構６０は、気体（すなわち、冷蔵室１１からの戻り冷気）を冷却することによって、戻り冷気中に含まれる水蒸気を結露させることで、戻り冷気を除湿することができる。戻り冷気が除湿されることで、蒸発器４１に付着する霜の量を減らすことができる。冷却機構６０は、伝熱板（伝熱部）６１、送出ダクト側フィン６２ａ、および戻りダクト側フィン６２ｂなどを有している。
【００４１】
伝熱板６１は、熱伝導率の高い金属板で形成されている。伝熱板６１は、冷気送出ダクト３０と冷気戻りダクト４５との間にまたがって配置されている。これにより、伝熱板６１を介して、冷気送出ダクト３０側の冷熱が冷気戻りダクト４５側へ伝達される。
【００４２】
図４には、冷気送出ダクト３０と冷気戻りダクト４５との間に伝熱板６１を配置する方法の一例を示す。上述したように、冷気送出ダクト３０は、ダクト形成部材３２によって形成されている。そして、冷気送出ダクト３０の下方部分では、冷気戻りダクト４５が隣接して配置されている。すなわち、冷気送出ダクト３０と冷気戻りダクト４５とは、ダクト形成部材３２の一部である断熱材（発泡スチロール）を間に挟んで、隣り合うように配置されている。
【００４３】
そこで、図４に示すように、断熱材を上下に分割し、その間に伝熱板６１を挟み込むようにして伝熱板６１を配置する。これにより、伝熱板６１は、冷気送出ダクト３０側の冷熱を冷気戻りダクト４５側へ伝達させることができる。
【００４４】
送出ダクト側フィン６２ａおよび戻りダクト側フィン６２ｂは、複数枚の板状の部材である。これらのフィンは、伝熱板６１と同様に、熱伝導率の高い金属板で形成されている。送出ダクト側フィン６２ａは、冷気送出ダクト３０側に位置する伝熱板６１上に形成されている。戻りダクト側フィン６２ｂは、冷気戻りダクト４５側に位置する伝熱板６１上に形成されている。これらのフィンが形成されていることで、熱の伝達効率を向上させることができる。
【００４５】
戻りダクト側フィン６２ｂは、その下方部分が先細となるような形状となっている。フィンをこのような形状にすることで、戻りダクト側フィン６２ｂの表面に生成された結露水を下方の先端部分へ向けて誘導することができる。また、伝熱板６１上に略平行に並んで配置されている各戻りダクト側フィン６２ｂは、後述する受け皿部６３の傾斜に合わせて、その最下端位置が徐々に下方に位置するように、その上下方向の長さが規定されている。
【００４６】
排水機構７０は、受け皿部６３、傾斜誘導部６４、および鉛直誘導部６５などを有している。
【００４７】
受け皿部６３は、伝熱板６１上の戻りダクト側フィン６２ｂの下方に形成されている。受け皿部６３は、戻りダクト側フィン６２ｂの表面に生成された結露水を受ける受け皿となる。受け皿部６３は、冷蔵庫１の前方側から後方側へ向かって下方に傾斜している（図２（ａ）および（ｂ）参照）。これにより、受け皿部６３上に落下した結露水は、その傾斜に沿って後方へ向かって流れる。
【００４８】
傾斜誘導部６４および鉛直誘導部６５は、冷気戻りダクト４６内に形成されている。具体的には、傾斜誘導部６４および鉛直誘導部６５は、冷気戻りダクト４６を形成しているダクト形成部材４９の内壁に形成された突起状の部材である。傾斜誘導部６４および鉛直誘導部６５は、受け皿部６３から落下した結露水を下方の排水トレイ８２まで導くための部材である。図６には、冷気戻りダクト４６内に形成される傾斜誘導部６４および鉛直誘導部６５を示す。
【００４９】
ダクト形成部材４９は、例えば、発泡スチロールなどの断熱材で形成されている。この場合、傾斜誘導部６４および鉛直誘導部６５は、断熱材の成型時に、冷気戻りダクト４５と一体的に形成することができる。
【００５０】
ここで、ダクト形成部材４９の各側壁を、冷蔵庫１内における位置に合わせて、右側壁４９ａ、左側壁４９ｂ、前側壁４９ｃ、および後側壁４９ｄと呼ぶ（図６参照）。
【００５１】
傾斜誘導部６４は、冷気戻りダクト４６の後側壁４９ｄに形成されている。傾斜誘導部６４は、左側から右側へ向かって下方に傾斜している。上方に位置する傾斜誘導部６４の左側の部分は、上方から見て、受け皿部６３の下端部と重なるような位置に配置されている。また、下方に位置する傾斜誘導部６４の右側の部分は、鉛直誘導部６５の上端部と連結している。
【００５２】
鉛直誘導部６５は、冷気戻りダクト４６の後側壁４９ｄの右端に上下方向に延びている。なお、冷蔵庫１では、図５に示すように、冷気戻りダクト４６は、正面から見て冷却室４０の右側に配置されている。このような構成において、鉛直誘導部６５は、冷気戻りダクト４６の右側（すなわち、冷却室４０から遠い側）に配置されていることが好ましい。
【００５３】
冷気戻りダクト４６内は、冷却室４０により近い左側壁４９ｂの方が、右側壁４９ａと比較して温度が低くなる傾向にある。そこで、鉛直誘導部６５を、冷却室４０からより離れた右側に配置することで、鉛直誘導部６５を伝って落下する結露水が凍結する可能性を低減させることができる。なお、冷気戻りダクトが、正面から見て冷却室４０の左側に配置されている冷蔵庫の場合には、鉛直誘導部は、冷気戻りダクトの左側側（すなわち、冷却室から遠い側）に配置されていることが好ましい。
【００５４】
以上の構成によれば、冷却機構６０では、伝熱板６１を介して冷気送出ダクト３０から冷気戻りダクト４５へ伝達された冷熱によって、冷気戻りダクト４５内の気体（すなわち、戻り冷気）は冷却される。すると、冷気戻りダクト４５内の気体中に含まれる水蒸気は結露し、戻りダクト側フィン６２ｂには結露水が付着する。
【００５５】
戻りダクト側フィン６２ｂに付着した結露水は、重力によって滴り落ち、戻りダクト側フィン６２ｂの下に設けられた受け皿部６３を伝って冷気戻りダクト４６内に滴下する。そして、冷気戻りダクト４６内に滴下した結露水は、傾斜誘導部６４および鉛直誘導部６５を伝って、冷却室４０の下部に設けられた排水トレイ８２へ到達し、排水トレイ８２から外部へ排出される。これにより、戻り冷気内に含まれる水蒸気の量を減らすことができる。
【００５６】
（第１の実施形態のまとめ）
以上のように、本実施形態にかかる冷蔵庫１には、冷蔵室１１から冷却室４０への戻り冷気を除湿するための機構として、結露水排出機構１０が備えられている。結露水排出機構１０は、冷却機構６０と、排水機構７０とを有している。
【００５７】
冷却機構６０は、冷蔵室１１から冷気戻りダクト４５内へ戻された気体を、冷気送出ダクト３０内の冷熱を用いて冷却し、この気体中に含まれる水蒸気を結露させる。排水機構７０は、冷却機構６０で生成された結露水を冷気戻りダクト４６の外へ排出する。
【００５８】
この構成によれば、冷蔵室１１からの戻り冷気が冷却室４０へ帰る前に、戻り冷気中に含まれる水蒸気の量を減らすことができる。このようにして、冷蔵室１１からの戻り冷気を除湿することで、蒸発器（冷却器）４１に付着する霜の量を低減させることができる。蒸発器（冷却器）４１に付着する霜の量を減らすことで、冷却効率を向上させることができる。また、ガラス管ヒータ８１などを用いた蒸発器４１の除霜にかかる時間の短縮化につながる。したがって、結露水排出機構１０を備えることで、冷蔵庫の消費電力を低減させることが可能となる。
【００５９】
（変形例について）
続いて、本実施の形態にかかる冷蔵庫１に設けられた結露水排出機構の変形例を示す。図７には、変形例にかかる結露水排出機構１１０の構成を示す。
【００６０】
結露水排出機構１１０は、主として、冷却機構６０と、排水機構１７０とで構成されている。冷却機構６０については、上述した構成と同じである。
【００６１】
排水機構１７０は、受け皿部６３、傾斜誘導部１６４、および鉛直誘導部１６５などを有している。受け皿部６３は、上述した構成と同じである。
【００６２】
傾斜誘導部１６４は、冷気戻りダクト４５内に配置されている。具体的には、傾斜誘導部１６４は、冷気戻りダクト４５の仕切り壁５３上に左右方向に延びている。傾斜誘導部１６４は、左側から右側へ向かって下方に傾斜している。上方に位置する傾斜誘導部１６４の左側の部分は、受け皿部６３の下端部に隣接して配置されている。また、下方に位置する傾斜誘導部１６４の右側の部分は、鉛直誘導部１６５の上端部に隣接して配置されている。
【００６３】
鉛直誘導部１６５は、冷気戻りダクト４５の下端部から開口部５３ａを通って冷気戻りダクト４６の内部へ上下方向に延びている。鉛直誘導部１６５は、冷気戻りダクト４６を形成しているダクト形成部材４９の内壁に形成された溝である。鉛直誘導部１６５は、鉛直誘導部６５と同様に、冷気戻りダクト４６の右側（すなわち、冷却室４０から遠い側）に配置されている。これにより、鉛直誘導部１６５を伝って落下する結露水が凍結する可能性を低減させることができる。鉛直誘導部１６５は、鉛直誘導部６５と同様に、ダクト形成部材４９の内壁に形成された突起状であってもよく、鉛直誘導部１６５によって、結露水が冷気戻りダクト４６の右側を確実に伝うようになっていればよい。
【００６４】
上記の構成によれば、排水機構１７０は、冷却機構６０で生成された結露水を冷気戻りダクト４６の外へ排出することができる。これにより、これにより、戻り冷気内に含まれる水蒸気の量を減らすことができる。
【００６５】
〔第２の実施形態〕
続いて、本発明の第２の実施形態について説明する。第２の実施形態は、冷蔵庫１の冷蔵室１１に備えられた結露水排出機構の構成が第１の実施形態とは異なっている。その他の構成については、基本的に第１の実施形態と同じ構成を適用することができる。そこで、第２の実施形態では、第１の実施形態とは異なる点のみを説明する。
【００６６】
図８（ａ）には、第２の実施形態にかかる冷蔵庫１の冷蔵室１１内の背面部分の外観を示す。冷蔵室１１の下方には、結露水排出機構２１０が設けられている。結露水排出機構２１０は、冷蔵室１１の背面部の下方から冷気戻りダクト４５および４６にかけて形成されている。
【００６７】
図８（ｂ）には、冷蔵庫１のＡ−Ａ’線部分の断面構成を示す。図８（ｃ）には、冷蔵庫１のＢ−Ｂ’線部分の断面構成を示す。
【００６８】
結露水排出機構２１０は、主として、冷却機構２６０と、排水機構２７０とで構成されている。冷却機構２６０は、冷蔵室１１から冷気戻りダクト４５内へ戻された気体を冷却することによって、この気体中に含まれる水蒸気を結露させる。排水機構２７０は、冷却機構２６０で生成された結露水を冷気戻りダクト４５および４６の外へ排出する。本実施形態では、排水機構２７０は、冷蔵室１１内に結露水の流路（具体的には、室内第１流路２６４ａおよび室内第２流路２６５ａ）を有している。
【００６９】
図９には、冷却機構２６０の構成を示す。冷却機構２６０は、伝熱板（伝熱部）２６１、送出ダクト側フィン２６２ａ、および戻りダクト側フィン２６２ｂなどを有している。
【００７０】
伝熱板２６１は、熱伝導率の高い金属板で形成されている。伝熱板２６１は、冷気送出ダクト３０と冷気戻りダクト４５との間にまたがって配置されている。これにより、伝熱板２６１を介して、冷気送出ダクト３０側の冷熱が冷気戻りダクト４５側へ伝達される。
【００７１】
本実施形態では、伝熱板２６１は、庫内の背面部に配置されている。具体的には、伝熱板２６１は、冷蔵庫１の内部を区画している内箱５２の背面部に取り付けられている。このような位置に伝熱板２６１を設置することで、冷気送出ダクト３０と冷気戻りダクト４５との間のシール性を損なうことなく、両方のダクトにまたがる伝熱部を設けることができる。
【００７２】
伝熱板２６１上には、複数枚の板状の部材が互いに略平行に並べて配置されている。これらの板状の部材が、送出ダクト側フィン２６２ａおよび戻りダクト側フィン２６２ｂである。これらのフィンは、伝熱板２６１と同様に、熱伝導率の高い金属板で形成されている。送出ダクト側フィン２６２ａは、冷気送出ダクト３０側に位置する伝熱板２６１上に形成されている。戻りダクト側フィン２６２ｂは、冷気戻りダクト４５側に位置する伝熱板２６１上に形成されている。これらのフィンが形成されていることで、熱の伝達効率を向上させることができる。
【００７３】
上記の構成を有する冷却機構２６０によれば、冷気戻りダクト４５内に入った冷蔵室１１からの戻り冷気は、冷気送出ダクト３０内の冷熱によって冷やされた伝熱板２６１によって冷却される。これにより、戻り冷気中に含まれる水蒸気は結露し、戻り冷気は除湿される。生成された結露水は、戻りダクト側フィン２６２ｂなどの表面に付着する。戻り冷気が除湿されることで、蒸発器４１に付着する霜の量を減らすことができる。
【００７４】
排水機構２７０は、受け皿部２６３、第１流路２６４、室内第１流路２６４ａ、室内第２流路２６５ａ、および第２流路２６５などを有している。
【００７５】
受け皿部２６３は、伝熱板２６１上の戻りダクト側フィン２６２ｂの下方に形成されている。受け皿部２６３は、戻りダクト側フィン２６２ｂの表面に生成された結露水を受ける受け皿となる。受け皿部２６３は、冷蔵庫１の右側から左側へ向かって下方に傾斜している。これにより、受け皿部２６３上に落下した結露水は、その傾斜に沿って左側（冷気送出ダクト３０へ近づく側）へ向かって流れる。
【００７６】
第１流路２６４は、冷気戻りダクト４５内において、後方側から前方側へ向かって下方に傾斜している。第１流路２６４の後方側の端部は、受け皿部２６３の左側端部と接続されている。これにより、受け皿部２６３に滴下した結露水は、第１流路２６４へ誘導され、第１流路２６４を前方側へ流れる。
【００７７】
第１流路２６４は、冷蔵室１１内を通る室内第１流路２６４ａと接続されている。室内第１流路２６４ａは、冷蔵室１１の背面部に沿って配置されている。本実施形態では、室内第１流路２６４ａは、冷蔵室１１の背面部に設けられたダクト形成部材３２上に取り付けられている。室内第１流路２６４ａは、右から左へ向かって下方に傾斜しながら、冷蔵室１１の下方に形成された吹き出し口３１ａの正面位置まで延びている。吹き出し口３１ａから吹き出される冷気は、冷蔵室１１の下方に位置するチルド室などへ送出される。
【００７８】
室内第２流路２６５ａは、室内第１流路２６４ａの下方に配置されている。室内第２流路２６５ａは、室内第１流路２６４ａとは反対側に傾斜している。これにより、室内第１流路２６４ａの左端部に達した結露水は、室内第２流路２６５ａへ落下し、室内第２流路２６５ａの傾斜に沿って左から右へ流れる。
【００７９】
室内第２流路２６５ａの右端部は、冷気戻りダクト４５内に配置されている第２流路２６５と接続されている。これにより、室内第１流路２６４ａおよび室内第２流路２６５ａを流れた結露水は、再び冷気戻りダクト４５へ戻る。
【００８０】
第２流路２６５は、第１の実施形態で説明した傾斜誘導部６４および鉛直誘導部６５、または傾斜誘導部１６４および鉛直誘導部１６５などと同様の構成を有している。
【００８１】
このように、本実施形態にかかる結露水排出機構２１０では、冷却機構２６０によって生成された結露水を、一旦、冷蔵室１１内に形成されている流路（すなわち、室内第１流路２６４ａおよび室内第２流路２６５ａ）に流す。室内第１流路２６４ａは、冷蔵室１１の下側に形成された吹き出し口３１ａの正面位置まで延びている。吹き出し口３１ａの正面位置に結露水が流れることで、吹き出し口３１ａから吹き出される風によって結露水の気化が促進される。これにより、冷蔵室１１内の湿度、特にチルド室内の湿度を上昇させることができる。
【００８２】
室内第１流路２６４ａを通って冷蔵室１１内を流れた結露水は、吹き出し口３１ａの正面位置で折り返され、室内第２流路２６５ａを通って冷気戻りダクト４５内の第２流路２６５へと導かれる。第２流路２６５から先の結露水の排水機構については、第１の実施形態で説明した排水機構７０と同様の構成が適用できる。これにより、結露水は、冷気戻りダクト４５および４５内を通過し、最終的に排水トレイ８２から、断熱箱体５０の外側の機械室（図示せず）へ排出される。
【００８３】
以上のように、本実施形態にかかる結露水排出機構２１０は、戻り冷気を除湿することによって得られた結露水を冷蔵室１１へ戻し、冷蔵室１１内の加湿に利用することができる。
【００８４】
〔第３の実施形態〕
続いて、本発明の第３の実施形態について説明する。第３の実施形態にかかる冷蔵庫１に備えられた結露水排出機構３１０は、排水機構３７０の構成が第２の実施形態とは異なっている。その他の構成については、基本的に第２の実施形態と同じ構成を適用することができる。そこで、第３の実施形態では、第２の実施形態とは異なる点のみを説明する。
【００８５】
図１０（ａ）には、第３の実施形態にかかる冷蔵庫１の冷蔵室１１内の背面部分の外観を示す。冷蔵室１１の下方には、結露水排出機構３１０が設けられている。結露水排出機構３１０は、冷蔵室１１の背面部の下方から冷気戻りダクト４５および４６にかけて形成されている。
【００８６】
図１０（ｂ）には、冷蔵庫１のＡ−Ａ’線部分の断面構成を示す。図１０（ｃ）には、冷蔵庫１のＢ−Ｂ’線部分の断面構成を示す。
【００８７】
結露水排出機構３１０は、主として、冷却機構２６０と、排水機構３７０とで構成されている。冷却機構２６０は、第２の実施形態と同様の構成を有している。
【００８８】
排水機構３７０は、冷却機構２６０で生成された結露水を冷気戻りダクト４５および４６の外へ排出する。排水機構３７０は、受け皿部３６３、第１流路３６４、室内第１流路３６４ａ、室内第２流路３６５ａ、および第２流路３６５などを有している。第２の実施形態と同様に、排水機構３７０は、冷蔵室１１内に結露水の流路（具体的には、室内第１流路３６４ａおよび室内第２流路３６５ａ）を有している。
【００８９】
受け皿部３６３は、伝熱板２６１上の戻りダクト側フィン２６２ｂの下方に形成されている。受け皿部３６３は、戻りダクト側フィン２６２ｂの表面に生成された結露水を受ける受け皿となる。第２の実施形態の受け皿部２６３とは異なり、受け皿部３６３は、冷蔵庫１の左側から右側へ向かって下方に傾斜している。これにより、受け皿部３６３上に落下した結露水は、その傾斜に沿って右側（冷気送出ダクト３０から離れる側）へ向かって流れる。
【００９０】
第１流路３６４は、冷気戻りダクト４５内において、後方側から前方側へ向かって下方に傾斜している。本実施形態では、第１流路３６４は、冷気戻りダクト４５の右側の端部に沿って形成されている。第１流路３６４の後方側の端部は、受け皿部３６３の右側端部と接続されている。これにより、受け皿部３６３に滴下した結露水は、第１流路３６４へ誘導され、第１流路３６４を前方側へ流れる。
【００９１】
第１流路３６４は、冷蔵室１１内を通る室内第１流路３６４ａと接続されている。室内第１流路３６４ａは、冷蔵室１１の背面部に沿って配置されている。室内第１流路３６４ａは、右から左へ向かって下方に傾斜しながら、冷蔵室１１の中央部にまで延びている。第２の実施形態では、室内第１流路３６４ａは吹き出し口３１ａの正面位置まで延びているが、第３の実施形態では、室内第１流路３６４ａは吹き出し口３１ａの配置位置を越えた左側にまで延びている。
【００９２】
図１１には、室内第１流路３６４ａを上から見たときの形状を示す。図１１に示すように、室内第１流路３６４ａは、吹き出し口３１ａの正面位置から左側（すなわち、傾斜の下方側）へ向かって、流路の幅が大きくなっている拡張流路３６４ｂを有している。このように、吹き出し口３１ａの正面位置で流路の幅を変化させることで、吹き出し口３１ａから送出される冷気の流れは、室内第１流路３６４ａの縁に沿って、拡張流路３６４ｂ側へ導かれる。
【００９３】
また、表面積の大きな拡張流路３６４ｂを有していることで、吹き出し口３１ａから送出される冷気と結露水との接触面積を増やすことができる。これにより、結露水の気化が促進される。さらに、室内第１流路３６４ａが吹き出し口３１ａの配置位置を越えて延在していることで、吹き出し口３１ａの正面位置では、室内第１流路３６４ａは左下がりに傾斜している。これにより、吹き出し口３１ａから送出される冷気を、圧力の低い左側に流れやすくすることができる。
【００９４】
室内第２流路３６５ａは、室内第１流路３６４ａの下方に配置されている。室内第２流路３６５ａは、室内第１流路３６４ａとは反対側に傾斜している。これにより、室内第１流路３６４ａの左端部に達した結露水は、室内第２流路３６５ａへ落下し、室内第２流路３６５ａの傾斜に沿って左から右へ流れる。
【００９５】
室内第２流路３６５ａの右端部は、冷気戻りダクト４５内に配置されている第２流路３６５と接続されている。これにより、室内第１流路３６４ａおよび室内第２流路３６５ａを流れた結露水は、再び冷気戻りダクト４５へ戻る。
【００９６】
第２流路３６５は、第１の実施形態で説明した鉛直誘導部６５、または鉛直誘導部１６５などと同様の構成を有している。本実施形態では、第２流路３６５は、冷気送出ダクト３０から離れた位置で室内第２流路３６５ａの右端部と接続されている。そのため、傾斜誘導部６４などを設けることなく、鉛直誘導部を冷却室４０からより離れた右側に配置することができる。
【００９７】
〔第４の実施形態〕
続いて、本発明の第４の実施形態について説明する。第４の実施形態は、冷蔵庫１に備えられた結露水排出機構の構成が第１の実施形態とは異なっている。その他の構成については、基本的に第１の実施形態と同じ構成を適用することができる。そこで、第４の実施形態では、第１の実施形態とは異なる点のみを説明する。
【００９８】
図１２には、第４の実施形態にかかる冷蔵庫１の冷蔵室１１の背面部分の下方に備えられている結露水排出機構４１０の構成を示す。結露水排出機構４１０は、冷気送出ダクト３０および冷気戻りダクト４５の内部に備えられている。
【００９９】
結露水排出機構４１０は、主として、冷却機構６０と、排水機構４７０とで構成されている。冷却機構６０は、第１の実施形態と同様の構成を有している。なお、冷却機構につては、他の実施形態で説明した構成を適用することもできる。
【０１００】
本実施形態では、排水機構４７０は、結露水の少なくとも一部を冷気送出ダクト３０へ送出するための結露水トラップ構造４７１を有している。排水機構４７０は、結露水トラップ構造４７１、蒸発用貯水皿４７２、排水路４７３などを有している。結露水トラップ構造４７１は、冷却機構６０から落下する結露水を受けるための受け皿部４７４を有している。
【０１０１】
結露水トラップ構造４７１および排水路４７３は、冷気戻りダクト４５内に配置されている。蒸発用貯水皿４７２は、冷気送出ダクト３０内に配置されている。蒸発用貯水皿４７２は、ダクト形成部材３２を貫通している流路を介して、結露水トラップ構造４７１と連通している。
【０１０２】
この排水機構４７０では、冷却機構６０で生成された結露水は、先ず結露水トラップ構造４７１の受け皿部４７４へ流入する。その後、受け皿部４７４に流入した結露水の一部は、結露水トラップ構造４７１から蒸発用貯水皿４７２へ流入する。結露水を、結露水トラップ構造４７１を通じて冷気送出ダクト３０内の蒸発用貯水皿４７２へと導くことで、結露水トラップ構造４７１内に貯まった結露水により、冷気送出ダクト３０から冷気戻りダクト４５へ冷気がショートカットすることを抑えることができる。
【０１０３】
蒸発用貯水皿４７２に貯められた結露水は、冷気送出ダクト３０内を通過する送出冷気の流れによって蒸発が促進される。これにより、冷蔵室１１へ流れ込む送出冷気に適度な湿気を与えることができる。
【０１０４】
また、排水機構４７０では、蒸発用貯水皿４７２の上端部の位置が、結露水トラップ構造４７１の受け皿部４７４の上端部よりも高くなるように構成されている。この構成により、蒸発用貯水皿４７２の水位が上がると、先ず、受け皿部４７４から結露水が溢れることになるため、蒸発用貯水皿４７２において結露水が溢れることを抑えることができる。したがって、冷気送出ダクト３０内で結露水が流下することによって起こり得る冷気フラップ４４４または冷却ファンの故障を防ぐことができる。
【０１０５】
受け皿部４７４から溢れた結露水は、結露水トラップ構造４７１の下方に配置されている排水路４７３へと流れる。排水路４７３の下流側の構成は、第１の実施形態で説明した傾斜誘導部６４および鉛直誘導部６５、または傾斜誘導部１６４および鉛直誘導部１６５などと同様の構成が適用できる。受け皿部４７４から溢れた結露水は、冷気戻りダクト４５および４５内を通過し、最終的に排水トレイ８２から、断熱箱体５０の外側の機械室（図示せず）へ排出される。
【０１０６】
〔第５の実施形態〕
続いて、本発明の第５の実施形態について説明する。第５の実施形態は、結露水排出機構に備えられた冷却機構の構成が他の実施形態とは異なっている。その他の構成については、上述の何れかの実施形態と同じ構成を適用することができる。そこで、第５の実施形態では、上述の実施形態とは異なる点のみを説明する。
【０１０７】
図１３には、結露水排出機構に備えられた冷却機構５６０の構成を示す。冷却機構５６０は、薄肉部（伝熱部）５６１を有している。薄肉部５６１は、冷気送出ダクト３０と冷気戻りダクト４５との間に配置されたダクト形成部材３２の一部で形成されている。例えば、薄肉部５６１は、ダクト形成部材３２を形成している断熱材の一部を切り欠くことによって形成されている。
【０１０８】
薄肉部５６１では、冷気送出ダクト３０と冷気戻りダクト４５との間の断熱性が緩和されているため、冷気送出ダクト３０の冷熱が冷気戻りダクト４５へ伝達される。薄肉部５６１は、冷気戻りダクト４５内を通過する冷蔵室１１からの戻り冷気を冷却し、戻り冷気中に含まれる水蒸気を結露させることができる。これにより、冷気送出ダクト３０と冷気戻りダクト４５との間の熱結合を薄肉部５６１の厚みで調整しながら、戻り冷気を除湿することができる。薄肉部５６１の冷気戻りダクト４５側に、第１の実施形態の伝熱板６１や戻りダクト側フィン６２ｂを設けてもよい。
【０１０９】
〔第６の実施形態〕
続いて、本発明の第６の実施形態について説明する。第６の実施形態は、結露水排出機構に備えられた冷却機構の構成が他の実施形態とは異なっている。その他の構成については、上述の何れかの実施形態と同じ構成を適用することができる。そこで、第６の実施形態では、上述の実施形態とは異なる点のみを説明する。
【０１１０】
図１４には、結露水排出機構に備えられた冷却機構６６０の構成を示す。冷却機構６６０は、伝熱板（伝熱部）６６１、送出ダクト側フィン６６２ａ、および戻りダクト側フィン６６２ｂなどを有している。
【０１１１】
伝熱板６６１は、熱伝導率の高い金属板で形成されている。伝熱板６６１は、冷気送出ダクト３０と冷気戻りダクト４５との間を仕切る仕切り板として配置されている。これにより、伝熱板６６１を介して、冷気送出ダクト３０側の冷熱が冷気戻りダクト４５側へ伝達される。
【０１１２】
伝熱板６６１上には、複数枚の板状の部材が互いに略平行に並べて配置されている。これらの板状の部材が、送出ダクト側フィン６６２ａおよび戻りダクト側フィン６６２ｂである。これらのフィンは、伝熱板６６１と同様に、熱伝導率の高い金属板で形成されている。送出ダクト側フィン６６２ａは、冷気送出ダクト３０側に位置する伝熱板６６１上に形成されている。戻りダクト側フィン６６２ｂは、冷気戻りダクト４５側に位置する伝熱板６６１上に形成されている。これらのフィンが形成されていることで、熱の伝達効率を向上させることができる。これにより、冷却機構６６０を小型ユニットとすることができる。
【０１１３】
〔第７の実施形態〕
続いて、本発明の第７の実施形態について説明する。第７の実施形態は、結露水排出機構に備えられた冷却機構の構成が他の実施形態とは異なっている。その他の構成については、上述の何れかの実施形態と同じ構成を適用することができる。そこで、第７の実施形態では、上述の実施形態とは異なる点のみを説明する。
【０１１４】
図１５には、結露水排出機構に備えられた冷却機構７６０の構成を示す。冷却機構７６０は、伝熱板（伝熱部）７６１、送出ダクト側フィン７６２ａ、および戻りダクト側フィン７６２ｂなどを有している。
【０１１５】
伝熱板７６１は、熱伝導率の高い金属板で形成されている。伝熱板７６１は、冷気送出ダクト３０と冷気戻りダクト４５との間にまたがって配置されている。これにより、伝熱板７６１を介して、冷気送出ダクト３０側の冷熱が冷気戻りダクト４５側へ伝達される。ダクト形成部材３２への伝熱板７６１の取り付けは、第１の実施形態で図４を参照しながら説明した方法と同様の方法を用いて行うことができる。
【０１１６】
伝熱板７６１上には、複数枚の板状の部材が互いに略平行に並べて配置されている。これらの板状の部材が、送出ダクト側フィン７６２ａおよび戻りダクト側フィン７６２ｂである。これらのフィンは、伝熱板７６１と同様に、熱伝導率の高い金属板で形成されている。送出ダクト側フィン７６２ａは、冷気送出ダクト３０側に位置する伝熱板７６１上に形成されている。戻りダクト側フィン７６２ｂは、冷気戻りダクト４５側に位置する伝熱板７６１上に形成されている。これらのフィンが形成されていることで、熱の伝達効率を向上させることができる。本実施の形態により、冷却機構７６０を小型ユニットとすることができ、かつ、冷気送出ダクト３０と冷気戻りダクト４５との間の熱結合を最小限に抑えることができる。
【０１１７】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１８】
１      ：冷蔵庫
１０    ：結露水排出機構
１１    ：冷蔵室（貯蔵室）
３０    ：冷気送出ダクト（冷気送出通路）
４０    ：冷却室
４１    ：蒸発器（冷却器）
４５    ：冷気戻りダクト（冷気戻り通路）
４６    ：冷気戻りダクト（冷気戻り通路）
５０    ：断熱箱体
６０    ：冷却機構
６１    ：伝熱板（伝熱部）
６３    ：受け皿部（排水機構）
６４    ：傾斜誘導部（排水機構）
６５    ：鉛直誘導部（排水機構）
７０    ：排水機構
１１０  ：結露水排出機構
２１０  ：結露水排出機構
２６０  ：冷却機構
２６４ａ：室内第１流路
２６５ａ：室内第２流路
２７０  ：排水機構
３１０  ：結露水排出機構
４１０  ：結露水排出機構
４７１  ：結露水トラップ構造
５６０  ：冷却機構
６６０  ：冷却機構
７６０  ：冷却機構
【図１】
2020008970.tif 000003
【図２】
2020008970.tif 000004
【図３】
2020008970.tif 000005
【図４】
2020008970.tif 000006
【図５】
2020008970.tif 000007
【図６】
2020008970.tif 000008
【図７】
2020008970.tif 000009
【図８】
2020008970.tif 000010
【図９】
2020008970.tif 000011
【図１０】
2020008970.tif 000012
【図１１】
2020008970.tif 000013
【図１２】
2020008970.tif 000014
【図１３】
2020008970.tif 000015
【図１４】
2020008970.tif 000016
【図１５】
2020008970.tif 000017
【国際調査報告】
2020008970.tif 000018
2020008970.tif 000019
2020008970.tif 000020
2020008970.tif 000021